(57)【要約】【課題】  容易且つ確実に透孔に固定することができる透孔カバーの提供。【解決手段】  透孔４の表側開口部を覆うカバー本体６と、カバー本体６を透孔４に固定する為の取付用具とを備え、取付用具がカバー本体６と一体化された受け部材１０と、締め付けボルト１１と、締め付けボルト１１に螺合された拡開部材１２と、拡開部材１２と受け部材１０との間に配置された基板２１、一対の弾性片部２２，２２及び弾性係止片部２２の先端部内側縁より突出した弾性押圧部２３，２３を一体に有する係止部材１３とを備え、係止部材１３の基板２１を受け部材１０に当て止めさせた状態で、締め付けボルト１１を回転させて拡開部材１２を受け部材側に移動させることにより、拡開部材１２の側面が弾性押圧部２３を介して弾性係止片部２２，２２を外向きに押圧し、弾性係止片部２２，２２を透孔４の内側面に係止させるようにした。【選択図】  図２
2005336951.tif 000002
【特許請求の範囲】
【請求項１】
コンクリート体に形成された透孔の表側開口部を覆うカバー本体と、該カバー本体を前記透孔に固定する為の取付用具とを備えた透孔カバーにおいて、
前記取付用具は、前記カバー本体と一体化された受け部材と、
該受け部材に回転自在に支持され、前記透孔内に突出した締め付けボルトと、
該締め付けボルトに螺合され、該締め付けボルトを回転させることにより締め付けボルトに対し軸方向に移動する拡開部材と、
該拡開部材と受け部材との間に配置された基板、該基板の両側縁より下向きに突出した一対の弾性片部及び該弾性係止片部の先端部内側縁より斜め上向きに突出した弾性押圧部を一体に有する係止部材とを備え、
前記係止部材の基板を前記受け部材に当て止めさせた状態で、前記締め付けボルトを回転させて前記拡開部材を受け部材側に移動させることにより、該拡開部材の側面が前記弾性押圧部を介して前記弾性係止片部を外向きに押圧し、該弾性係止片部を前記透孔の内側面に係止させるようにしたことを特徴としてなる透孔カバー。
【請求項２】
拡開部材は、側面上部に傾斜部を備えた請求項１に記載の透孔カバー。
【請求項３】
透孔の形状を表側が狭いテーパ状とした請求項１又は２に記載の透孔カバー。
【発明の詳細な説明】
【技術分野】
【０００１】
本発明は、主に側溝を構成するコンクリートブロック体に形成された透孔を被覆する透孔カバーに関する。
【背景技術】
【０００２】
一般的に、道路の側溝を構成するコンクリート版或いは中空函状のコンクリート体の上面には透水孔が形成され、雨天等により発生した水がこの透水孔より側溝内に流れ込み排水できるようになっている。
【０００３】
しかし、透水孔の縁部は、コンクリートが打ちさらしの状態にあるので、開口縁部が欠損し易く、透水孔の開口縁部が欠損することによって、透水孔の孔幅が広がってしまったり、見栄えが悪くなったりするという問題があり、また、ハイヒールのかかと部分や車椅子の車輪が嵌ってしまい転倒する等の危険性があるという問題があった。
【０００４】
そこで、従来では、透孔の開口部を覆う透孔カバーを使用し、透孔を保護するとともに車椅子の脱輪やハイヒールの踵部分が嵌り込むのを防止して安全性を高めるようにしており、この透孔カバーは取付用具によって透孔に対して固定されるようになっている。
【特許文献１】特開平１０−１３１２７３号公報
【発明の開示】
【発明が解決しようとする課題】
【０００５】
しかし、上述の如き従来の技術では、取付用具が透孔カバーの裏面側に配置されるので、透孔に対し取り付け難いという問題があり、また、取付用具による固定が不十分であると、容易に透水孔カバーが外れてしまい、危険であるという問題があった。
【０００６】
そこで本発明は、上述の従来技術の問題を鑑み、容易且つ確実に透孔に固定することができる透孔カバーの提供を目的とする。
【課題を解決するための手段】
【０００７】
上述の如き従来の問題を解決し、所期の目的を達成するための請求項１に記載の発明は、コンクリート体に形成された透孔の表側開口部を覆うカバー本体と、該カバー本体を前記透孔に固定する為の取付用具とを備えた透孔カバーにおいて、
前記取付用具は、前記カバー本体と一体化された受け部材と、
該受け部材に回転自在に支持され、前記透孔内に突出した締め付けボルトと、
該締め付けボルトに螺合され、該締め付けボルトを回転させることにより締め付けボルトに対し軸方向に移動する拡開部材と、
該拡開部材と受け部材との間に配置された基板、該基板の両側縁より下向きに突出した一対の弾性片部及び該弾性係止片部の先端部内側縁より斜め上向きに突出した弾性押圧部を一体に有する係止部材とを備え、
前記係止部材の基板を前記受け部材に当て止めさせた状態で、前記締め付けボルトを回転させて前記拡開部材を受け部材側に移動させることにより、該拡開部材の側面が前記弾性押圧部を介して前記弾性係止片部を外向きに押圧し、該弾性係止片部を前記透孔の内側面に係止させるようにした透孔カバーであることを特徴とする。
【０００８】
請求項２に記載の発明は、請求項１の構成に加え、拡開部材は、側面上部に傾斜部を備えたことを特徴とする。
【０００９】
請求項３に記載の発明は、請求項１又は２の構成に加え、透孔の形状を表側が狭いテーパ状としたことを特徴とする。
【発明の効果】
【００１０】
本発明に係る透孔カバーは、コンクリート体に形成された透孔の表側開口部を覆うカバー本体と、該カバー本体を前記透孔に固定する為の取付用具とを備えた透孔カバーにおいて、前記取付用具は、前記カバー本体と一体化された受け部材と、該受け部材に回転自在に支持され、前記透孔内に突出した締め付けボルトと、該締め付けボルトに螺合され、該締め付けボルトを回転させることにより締め付けボルトに対し軸方向に移動する拡開部材と、
該拡開部材と受け部材との間に配置された基板、該基板の両側縁より下向きに突出した一対の弾性片部及び該弾性係止片部の先端部内側縁より斜め上向きに突出した弾性押圧部を一体に有する係止部材とを備え、前記係止部材の基板を前記受け部材に当て止めさせた状態で、前記締め付けボルトを回転させて前記拡開部材を受け部材側に移動させることにより、該拡開部材の側面が前記弾性押圧部を介して前記弾性係止片部を外向きに押圧し、該弾性係止片部を前記透孔の内側面に係止させるようにしたことによって、取付作業がカバー本体の表側から行うことができるので容易に取り付けることができ、また、弾性係止片部が弾性的に透孔の内側面に係止されることによって透孔に対し確実に固定することができる。
【００１１】
拡開部材は、側面上部に傾斜部を備えたことによって、弾性係止片部及び弾性凹圧部をスムーズに動作させることができるようになる。
【００１２】
透孔の形状を表側が狭いテーパ状としたことによって、透孔に取り付ける際に、係止部材が挿入し易く、挿入後は弾性係止片部が好適に透孔内側面に係止されるようになる。
【発明を実施するための最良の形態】
【００１３】
次に、本発明に係る取付用具について説明する。
【００１４】
図１、図２は、透孔カバーの取付状態を示し、図中符号１はコンクリート体、符号２は透孔カバーである。
【００１５】
コンクリート体１は、直方体状に形成され、その中央長手方向に貫通して円形状の流水路３が形成されている。
【００１６】
このコンクリート体１の上面部には、内部の流水路３と連通した細長状の透孔４，４が間隔を隔てて形成され、その透孔４の上面開口部周縁には、透孔カバー２が嵌り込む取付凹部５が形成されている。
【００１７】
また、透孔４は、表側が狭いテーパ状、即ち透孔４の両内側面が裏側に向うに従って互いに遠ざかるように傾斜して形成されている。
【００１８】
透孔カバー２は、図３、図４に示すように、カバー本体６と、カバー本体６を透孔４に取り付けるための取付用具とを備え、取付用具を透孔４に係止させることにより透孔４に対し取り付けられるようになっている。
【００１９】
カバー本体６は、両側縁より下向きに突出した側板７，７を備えたコ字状断面が連続した形状に、透孔４の開口部、即ち取付凹部５の形状に合わせて形成されている。
【００２０】
カバー本体６の表面部には、透孔４の機能を確保するための複数の導水孔８，８…が間隔を隔てて形成されるとともに、その長手方向両端部には、後述する締め付けボルトの頭部端面が露出するボルト露出窓９，９が形成されている。
【００２１】
取付用具は、カバー本体６に一体化された受け部材１０と、受け部材１０に回転自在に支持された締め付けボルト１１と、締め付けボルト１１に螺合された拡開部材１２と、透孔４内側面に係止される係止部材１３とをもって構成されている。
【００２２】
受け部材１０は、両側縁より側板１４，１４を立ち上げた断面コ字状に金属製板材を折曲加工することにより形成され、中央部には、締め付けボルト１１が挿通されるボルト挿通孔１５が形成されている。
【００２３】
この受け部材１０は、ボルト挿通孔１５とボルト露出窓９の中心軸が一致するように両側板７，１４同士を溶接して固定することにより、カバー本体６の長手方向端部に一体化されている。
【００２４】
締め付けボルト１１は、ネジ部がボルト挿通孔１５を通して受け部材１０の下側、即ちカバー本体６とは反対側に突出され、頭部１６がボルト挿通孔１５の開口縁部に支持され、受け部材１０に対し、回転自在に支持されるようになっている。
【００２５】
拡開部材１２は、両側面の平坦部１７，１７と連続して側面上部に上側が互いに近づくように傾斜した傾斜部１８，１８を備え、長手方向長さが透孔４の幅方向長さより長くなるように樹脂コンクリート（レジンコンクリート）によって形成されている。
【００２６】
また、拡開部材１２は、中央部に上下方向に貫通したボルト挿通孔１９が形成され、ボルト挿通孔１９の底側開口部にネジ部がボルト挿通孔１９と連続するようにナット２０が一体的に保持されている。
【００２７】
この拡開部材１２は、一体に保持するナット２０を締め付けボルト１１に螺合させることによって、締め付けボルト１１を回転させることにより、締め付けボルト１１に対し軸方向移動、即ち上下移動するようになっている。
【００２８】
係止部材１３は、受け部材１０と拡開部材１２との間に配置された基板部２１と、基板部２１の両側縁より下向きに突出した一対の弾性係止片部２２，２２と、弾性係止片部２２の先端内側縁より斜め上向きに突出した弾性押圧部２３，２３とをもって一体に構成されている。
【００２９】
基板部２１は、中央部にボルト挿通孔２４を有する平板状に形成され、受け部材１０と拡開部材１２との間でボルト挿通孔２４に締め付けボルト１１を通すことによって、受け部材１０と拡開部材１２との間に配置されるようになっている。
【００３０】
弾性係止片部２２は、基板部２１の両側縁より連続して下向きに突出して形成され、基板部２１との境界部を基端として弾性変形するようになっている。
【００３１】
弾性押圧部２３は、弾性係止片部２２の先端部内側縁より斜め上向きに突出して一体に形成され、弾性係止片部２２との境界部を基端として弾性変形するようになっている。
【００３２】
次に、この透孔カバー２の取付方法について説明する。
【００３３】
まず、拡開部材１２、即ち拡開部材１２に保持されたナット２０を締め付けボルト１１に対して相対的に回転させて拡開部材１２を締め付けボルト１１の先端側に移動させ、拡開部材１２の傾斜部１８と弾性押圧部２３の外側面とが互いに当接させる。
【００３４】
この状態で取付用具を透孔４に挿入するとともに、カバー本体６を取付凹部５に嵌め込む。
【００３５】
次に、カバー本体６のボルト露出窓９より締め付けボルト１１の頭部１６の六角孔に六角レンチを挿入し、所定の方向に回転させることにより、拡開部材１２を受け移部材側に移動させると、拡開部材１２が係止部材１３を受け部材側に押し上げ、基板部２１が受け部材１０下面に当て止めされる。
【００３６】
その状態で締め付けボルト１１を回転させると、拡開部材１２の傾斜部１８が弾性押圧部２３を介して弾性係止片部２２を外向きに押圧し、徐々に両弾性係止片部２２を八字状に拡開させる。
【００３７】
更に、締め付けボルト１１を回転させると、弾性押圧部２３が拡開部材１２の側面平坦部１７と弾性的に接触し、その位置で両弾性係止片部２２が最大の応力で外向き押圧され、両弾性係止片部２２が透孔４内側面に弾性的に接触して係止される。
【００３８】
これによって、透孔カバー２が透孔４に対して固定される。
【００３９】
尚、上述の実施例では、拡開部材１２を樹脂コンクリート（レジンコンクリート）によって構成した例について説明したが、コンクリート又は金属その他の材質により形成してもよい。
【００４０】
また、上述の実施例では、カバー本体６と受け部材１０とを別個に構成し、それを一体化させた例について説明したが、カバー本体６の一部を受け部材１０としてもよい。
【図面の簡単な説明】
【００４１】
【図１】本発明に係る透孔カバーの取付状態を示す斜視図である。
【図２】同上の透孔カバーの取付状態を示す断面図である。
【図３】（ａ）は図１中の透孔カバーを示す平面図、（ｂ）は同正面図である。
【図４】同上の透孔カバーを示す断面図である。
【符号の説明】
【００４２】
１  コンクリート体
２  透孔カバー
３  流水路
４  透孔
５  取付凹部
６  カバー本体
７  側板
８  導水孔
９  ボルト露出窓
１０  受け部材
１１  締め付けボルト
１２  拡開部材
１３  係止部材
１４  側板
１５  ボルト挿通孔
１６  頭部
１７  平坦部
１８  傾斜部
１９  ボルト挿通孔
２０  ナット
２１  基板部
２２  弾性係止片部
２３  弾性押圧部
２４  ボルト挿通孔
【図１】
2005336951.tif 000003
【図２】
2005336951.tif 000004
【図３】
2005336951.tif 000005
【図４】
2005336951.tif 000006